(57)【特許請求の範囲】
【請求項１】
円弧に湾曲するパイプ主フレームの端部は円弧の延長として直線部分となるが、この端部に、パイプ主フレームに外側から嵌めるパイプであり、先端を共に潰して平坦にしてここにボルト挿通用の孔を穿設した補強材を嵌めて２重構造とし、その先端部分を平坦にしてここにボルト挿通用の孔を穿設して枠体部材を構成し、この枠体部材端部を凹溝側壁の上端部に固定された金属製のベースにボルト止めして複数の枠体部材を適宜間隔で架設し、これら枠体部材に凹溝長さ方向に向かうパイプ継ぎフレームを上に載置するようにして架け渡し、交差する主フレームと継ぎフレームとは針金状弾性部材により結合し、これらに金属製カバーネットを布設したことを特徴とする安全カバー。
【請求項２】
針金状弾性部材は、一方のパイプに掛け回す縦向き逆Ｕ字部分と、このＵ字部分の端部の折り曲げ部分として他方のパイプに掛け回すＵ型湾曲部と、さらにその先の延設直線部分とからなり、平行する延設直線部分の先を湾曲させて突き合わせて一方のパイプに掛け回す開き可能な逆Ｕ字部分とした請求項１記載の安全カバー。
【請求項３】
金属製のベースは適宜間隔を存して設置し、金属製カバーネットの外側端部には網目を互い違いに縫うように貫通して丸棒によるネット固定部材を配設し、このネット固定部材を複数のベースに跨がって沿わせ、ＪまたはＵボルトでベースにボルト止めする請求項１または請求項２に記載の安全カバー。
【発明の詳細な説明】
【０００１】
【発明の属する技術分野】
本発明は水路、歩道路等の凹溝にごみが入ったり、人が転落するのを防止する安全カバーに関する。
【０００２】
【従来の技術】
農業水路等のカバーとして実用新案登録第１５８４５６７号（実公昭５９−２３７９４号）、実公平４−３４１９７号公報、実公平４−３４１９８号公報等に記載のものがある。
【０００３】
これは図１３に示すように、パイプにより屋根形に形成した主フレーム１の内側に同じくパイプによる補助フレーム２を配置して、これで枠体３を形成する。この場合、該補助フレーム２はその途中が主フレーム１と部分的に結合し、ブレース的な存在となる。
【０００４】
このような枠体３を、水路４の堰堤４１に設けたアングル状の金属製のベースプレート５を介して適宜間隔で立設し、かつ、並列する枠体３の相互は主フレーム１を同じくパイプからなる横材としての継ぎフレーム６で連結することにより、水路４の長さ方向に連結する。そして、全体上面に鋼製網体によるカバーネット７を布設した。
【０００５】
このように施工された図１３のカバーは、補助フレーム２で強度が増した枠体３を必要数増していくだけで容易に延設でき、全体としての強度もこの枠体３が主として負担するので高く、例えば非常時などに人間がカバーに乗っても安全に対処できる。
【０００６】
【発明が解決しようとする課題】
しかし、前記図１３に示すカバーは枠体３は主フレーム１と補助フレーム２との２本のパイプからなるもので、部材点数が多いとともに、これらフレーム相互を離脱しないように結合する必要があり、前記実用新案登録第１５８４５６７号（実公昭５９−２３７９４号）では、主フレーム１と補助フレーム２とを一緒に取り囲むように帯状の締付けバンド８により固定している。該締付けバンド８の端はボルト、ナット２２で止める。
【０００７】
また、実公平４−３４１９７号公報では適宜な長さの短尺な鞘管を溶接で一方のフレームに取り付け、他方のフレームをこの鞘管内に挿通させている。このように枠体３は主フレーム１と補助フレーム２との２本のパイプからなるのでは、組み立て等が面倒である。
【０００８】
本発明の目的前記従来例の不都合を解消し、主フレームのみで済むようにして、部材点数を減らし、組み立ての手間の簡素化、工期の短縮化とコストの低減が可能で、また、強度的にも補助フレームを備えた従来品に遜色がない安全カバーを提供することにある。
【０００９】
【課題を解決するための手段】
本発明は前記目的を達成するため、第１に、円弧に湾曲するパイプ主フレームの端部は円弧の延長として直線部分となるが、この端部に、パイプ主フレームに外側から嵌めるパイプであり、先端を共に潰して平坦にしてここにボルト挿通用の孔を穿設した補強材を嵌めて２重構造とし、その先端部分を平坦にしてここにボルト挿通用の孔を穿設して枠体部材を構成し、この枠体部材端部を凹溝側壁の上端部に固定された金属製のベースにボルト止めして複数の枠体部材を適宜間隔で架設し、これら枠体部材に凹溝長さ方向に向かうパイプ継ぎフレームを上に載置するようにして架け渡し、交差する主フレームと継ぎフレームとは針金状弾性部材により結合し、これらに金属製カバーネットを布設したことを要旨とするものである。
【００１０】
第２に、針金状弾性部材は、一方のパイプに掛け回す縦向き逆Ｕ字部分と、このＵ字部分の端部の折り曲げ部分として他方のパイプに掛け回すＵ型湾曲部と、さらにその先の延設直線部分とからなり、平行する延設直線部分の先を湾曲させて突き合わせて一方のパイプに掛け回す開き可能な逆Ｕ字部分としたこと、第３に、金属製のベースは適宜間隔を存して設置し、金属製カバーネットの外側端部には網目を互い違いに縫うように貫通して丸棒によるネット固定部材を配設し、このネット固定部材を複数のベースに跨がって沿わせ、ＪまたはＵボルトでベースにボルト止めすることを要旨とするものである。
【００１１】
請求項１記載の本発明によれば、枠体はパイプ主フレーム１本のみであり、補助フレームを必要としないので、部材点数が少なく、主フレームと補助フレームとを結合する手間も不要である。そして、主フレームは全体が円弧に湾曲する、いわゆるアーチ型として強度的に安定し、しかも、取り付けのために端部を平坦にして孔明けするとこの部分が脆弱部分となるおそれがあるが、補強材を嵌めて２重構造とすることでそのようなおそれがなく、一層強度的に信頼性の高いものとなる。
【００１２】
また、交差する主フレームと継ぎフレームとは針金状弾性部材で簡単に結合できる。
【００１３】
さらに、継ぎフレームはこれを上にして架設するので、仮押さえが必要とならずに針金状弾性部材を掛けることができ、また、この継ぎフレーム自体も人等を支えることができるので強度部材として利用することが可能となる。
【００１４】
請求項２記載の本発明によれば、前記作用に加えて、針金状弾性部材はそのままの形状を利用して主フレームと継ぎフレームとを迅速に結合できる。
【００１５】
請求項３記載の本発明によれば、金属製カバーネットの外側端部は丸棒に対するＪまたはＵボルトのボルト止めで引張力を加えながら、また、簡単にベースにボルト止めすることができ、平板をネット固定部材としてこれをベースにボルト止めする場合に比べて、長穴などを設けなくとも位置の微調整が楽にできる。
【００１６】
【発明の実施の形態】
以下、図面について本発明の実施の形態を詳細に説明する。図１は本発明の安全カバーの１実施形態を示す平面図、図２は同上側面図で、図３は一部省略した正面図で、図中９は農業用水路、歩行路、その他の凹溝であり、９ａは凹溝９の側壁である。
【００１７】
凹溝９に人が転落したり、ごみが入ったりするのを防止するために本発明の安全カバーが架設されるが、枠体部材１１は、円弧に湾曲するパイプ主フレーム１０のみで構成し、従来の補助フレームを省略した。
【００１８】
パイプ主フレーム１０の端部は円弧の延長として直線部分となるが、この端部には図４に示すように補強材１２を嵌めて２重構造とした。補強材１２はパイプ主フレーム１０の端に外側から嵌めるパイプであり、一例として主フレーム１０がφ１９．１とすると、２．３±以上の太さのもので、図５、図６に示すように１００〜１５０ｍ／ｍ程度（α部分）を残してその先端を共に潰して平坦にしてここにボルト挿通用の孔１３を穿設した。該孔１３は主フレーム１０と補強材１２を共に潰した上で、一緒に貫通さればよい。
【００１９】
図４中、１４は横断面Ｌ型の金属製のベースであるが、ベース４は５０ｃｍの長さを有しており、図９に示すように５０ｃｍ間隔で凹溝９の側壁９ａの上端に固定部材としてのアンカーボルト１５およびナットにより固定する。
【００２０】
また、ベース１４の両端面には四角形の金属製の取付プレート１４ａを溶接で設けて、全体を上面、前面開放の横長箱体とした。この取付プレート１４ａにもボルト挿通用の孔１３′を穿設する。
【００２１】
このようにして、前記枠体部材１１の端部をベース１４の取付プレート１４ａに取付ボルト１６でボルト止めして複数の枠体部材１１を凹溝９上に適宜間隔で架設し、これら枠体部材１１に凹溝９の長さ方向に向かうパイプ継ぎフレーム１７を上に載置するようにして架け渡した。
【００２２】
本実施形態では継ぎフレーム１７は主フレーム１０の円弧に沿って３本を間隔を存して平行させ、交差する主フレーム１０と継ぎフレーム１７とは針金状弾性部材１８により結合する。
【００２３】
図１０、図１１に針金状弾性部材１８の詳細を示すと、一方のパイプに掛け回す縦向き逆Ｕ字部分１８ａと、この縦向き逆Ｕ字部分１８ａの端部の折り曲げ部分として他方のパイプに掛け回すＵ型湾曲部１８ｂと、さらにその先の延設直線部分１８ｃとからなり、平行する延設直線部分１８ｃの先を湾曲させて突き合わせて一方のパイプに掛け回す開き可能な逆Ｕ字部分１８ｄとした。
【００２４】
開き可能な逆Ｕ字部分１８ｄから全体を開いて、縦向き逆Ｕ字部分１８ａを主フレーム１０の上に位置する継ぎフレーム１７に掛け回し、そのままＵ型湾曲部１８ｂを主フレーム１０の下から掛け回して延設直線部分１８ｃを斜め上方へもってきて、最後に開き可能な逆Ｕ字部分１８ｄを継ぎフレーム１７に引っかけて掛け回す。
【００２５】
このようにして主フレーム１０に継ぎフレーム１７を固定したならば、これらに金属製カバーネット１９を布設するが、図７に示すように、金属製カバーネット１９の外側端部には網目を互い違いに縫うように貫通して丸棒２０によるネット固定部材を配設しておく。
【００２６】
前記のごとく、金属製のベース１４は適宜間隔を存して設置されており、この複数のベース１４に跨がって丸棒２０を沿わせ、ＪまたはＵボルト２１でベース１４の垂直片部にボルト止めする。
【００２７】
このようにして構成された本発明の安全カバーによる検討結果を下記に示す。
【００２８】
設計条件は下記の通りである。（図１２参照）
0003597489.tif 000002
【００２９】
0003597489.tif 000003
【００３０】
0003597489.tif 000004
【００３１】
0003597489.tif 000005
【００３２】
0003597489.tif 000006
【００３３】
0003597489.tif 000007
【００３４】
0003597489.tif 000008
【００３５】
0003597489.tif 000009
【００３６】
0003597489.tif 000010
【００３７】
0003597489.tif 000011
【００３８】
上記計算結果より、仮定部材（パイプ19.1φ×1.2t) を主フレーム１０での主要部材として使用しても問題がない。
【００３９】
【発明の効果】
以上述べたように本発明の安全カバーは、凹溝（水路等）に人が落ちたりごみが入るのを防止できるものとして、主フレームのみで済むようにして、部材点数を減らし、組み立ての手間の簡素化、工期の短縮化とコストの低減が可能で、また、強度的にも補助フレームを備えた従来品に遜色がないものである。
【図面の簡単な説明】
【図１】本発明の安全カバーの１実施形態を示す平面図である。
【図２】本発明の安全カバーの１実施形態を示す側面図である。
【図３】本発明の安全カバーの１実施形態を示す一部省略した正面図である。
【図４】本発明の安全カバーの１実施形態を示すベース部分の斜視図である。
【図５】主フレーム端部の制作過程を示す説明図である。
【図６】主フレーム端部の縦断側面図である。
【図７】本発明の安全カバーの１実施形態を示す説明図である。
【図８】本発明の安全カバーの１実施形態を示すベース部分の正面図である。
【図９】本発明の安全カバーの１実施形態を示すベース設置状態の斜視図である。
【図１０】主フレームと継ぎフレームとの結合で針金状弾性部材の使用を示す止め前段階の斜視図である。
【図１１】主フレームと継ぎフレームとの結合で針金状弾性部材の使用を示す止め後段階の斜視図である。
【図１２】設計条件計算のための説明図である。
【図１３】従来例を示す正面図である。
【符号の説明】
１…主フレーム                          ２…補助フレーム
３…枠体                                ４…水路
５…ベースプレート
６…継ぎフレーム                        ７…カバーネット
８…締付けバンド                        ９…ボルト・ナット
９…凹溝                                ９ａ…側壁
１０…主フレーム                        １１…枠体部材
１２…補強材                            １３，１３′…孔
１４…ベース                            １４ａ…取付プレート
１５…アンカーボルト                    １６…取付ボルト
１７…継ぎフレーム                      １８…針金状弾性部材
１８ａ…縦向き逆Ｕ字部分                １８ｂ…Ｕ型湾曲部
１８ｃ…延設直線部分                    １８ｄ…開き可能な逆Ｕ字部分
１９…金属製カバーネット                ２０…丸棒
２１…ＪまたはＵボルト                  ２２…ボルト・ナット
４１…堰堤
【図１】
0003597489.tif 000012
【図２】
0003597489.tif 000013
【図３】
0003597489.tif 000014
【図４】
0003597489.tif 000015
【図５】
0003597489.tif 000016
【図６】
0003597489.tif 000017
【図７】
0003597489.tif 000018
【図８】
0003597489.tif 000019
【図９】
0003597489.tif 000020
【図１０】
0003597489.tif 000021
【図１１】
0003597489.tif 000022
【図１２】
0003597489.tif 000023
【図１３】
0003597489.tif 000024